(57)【要約】【課題】  解決しようとする問題点は、射出成形による製造が容易で、実用的強度を有し、確実な綴じ込みができ、古紙回収工程で水に溶解し、万一燃焼しても有害ガスが発生しない綴じ具を提供することを目的とする。【解決手段】  変性ポリビニルアルコール樹脂を用い、ほぼ長方形の基板の両端側から上方に突出する内面にギザギザの突起を付した綴込帯体と、該綴込帯体を伸直状態で挿入し得る挿入口と、該挿入口を経て端部側に曲げられた該綴込帯体を挿入把持するための内面に綴込帯体のギザギザの突起と噛み合うギザギザの突起を有する横向きＬ字状の爪部と、からなる綴込帯体の挿入把持部を備えたほぼ長方形の押さえ板と、からなることを特徴とする書類綴じ具であり、長方形の押さえ板に爪部の基部に連接してリブが設けられ、綴込帯体に係止用突起を設けたことを特徴とする書類綴じ具である。【選択図】図１
2006095691.tif 000002
【特許請求の範囲】
【請求項１】
変性ポリビニルアルコール樹脂を用い、ほぼ長方形板状の基板の両端近傍から上方に突出する内面側にギザギザの突起を付した綴込帯体と、
該綴込帯体を伸直状態で挿入し得る挿入口と、該挿入口より端部側に曲げられた該綴込帯体を挿入把持するための内面に綴込帯体のギザギザの突起と噛み合うギザギザの溝を有する横向きＬ字状の爪部とからなる綴込帯体の挿入把持部とを備えたほぼ長方形板状の押さえ板と、
からなることを特徴とする書類綴じ具。
【請求項２】
綴込帯体のギザギザの突起は進行方向前面が緩やかな傾斜面で、該突起の背面と綴込帯体のベース表面とのなす角度（ただし突起の内角）が、７５〜１０５°であることを特徴とする請求項１に記載の書類綴じ具。
【請求項３】
ギザギザを付した綴込帯体のギザギザの突起の高さを０．４ｍｍ〜０．８ｍｍとしたことを特徴とする請求項１もしくは２に記載の書類綴じ具
【請求項４】
綴込帯体のギザギザの突起と噛み合うＬ字状の爪部の上部内面のギザギザの溝の数が３以上であること特徴とする請求項１，２もしくは３のいずれかに記載の書類綴じ具。
【請求項５】
ほぼ長方形の押さえ板のＬ字状の爪部の基部に連接してリブを設けたこと特徴とする請求項１，２，３もしくは４のいずれかに記載の書類綴じ具。
【請求項６】
綴込帯体の最先端のギザギザの突起の先に別の係止用突起を設け、該係止用突起の高さをＬ字状の爪部と押さえ板の間隔よりも大きくしたことを特徴とする請求項１，２，３，４もしくは５のいずれかに記載の書類綴じ具。
【請求項７】
変性ポリビニルアルコール樹脂として低重合度の変性ポリビニルアルコールと中重合度の変性ポリビニルアルコールとを配合した材料を用いたことを特徴とする請求項１，２，３，４，５もしくは６のいずれかに記載の書類綴じ具。
【発明の詳細な説明】
【技術分野】
【０００１】
本発明は、環境にやさしい書類綴じ具に関するものである。
【背景技術】
【０００２】
従来複数枚の書類を綴じるには、一般には金属からなる綴じ具が多く用いられているが、書類を廃棄する場合には金属である綴じ具を紙である書類から分離して廃棄しなければならず、その手間は大変手数のかかるものであった。また、一部には綴じ具をポリプロピレン樹脂などのプラスチックで構成したものもあるが、これも紙の再生若しくは燃焼処理などの場合、金属製の綴じ具同様に紙である書類から分離しなければならず、廃棄に際して手数のかかるものであった。
最近この点に着目して、水溶性のポリビニルアルコールを材料とする綴じ具が生まれ、綴じ具が水溶性であるために、書類の廃棄に際して綴じ具を分離する必要がないことから非常に便利であり注目されている。
【０００３】
【特許文献１】登録実用新案第３０５４０３４号
【特許文献２】特開平９‐１８３２８９号公報
【特許文献３】特開平１１−２７７９６９号公報
【特許文献４】特開２０００−１４１９７２号公報
【発明の開示】
【発明が解決しようとする課題】
【０００４】
変性ポリビニルアルコール樹脂の成形品は、環境の湿度によって柔軟性や寸法が変化し、特に高湿状態ではかなり柔らかく変形し易くなる。そのため変性ポリビニルアルコール樹脂で作られた書類綴じ具は、一般プラスチック製綴じ具と同じ構造では扱い難くまた機能が十分に発揮されない。また、これまで知られているポリビニルアルコールを素材とする綴じ具では、必ずしも綴じやすく、綴じたものが緩み難いとはいえず、改良が要望されていた。
本発明は、変性ポリビニルアルコール樹脂を用い、射出成形で容易に製造でき、比較的簡単な構造で紙書類を緩みなく容易に綴じることができ、綴じ具として使用したときに実用的強度を有し、書類を廃棄するときに綴じ具をつけたまま廃棄しても、古紙の再生工程で水に容易に溶解して再生用紙の製造に問題がなく、水中に溶解した綴じ具は微生物により生分解が可能で、また、万一綴じ具を古紙と共に燃焼しても有害ガスが発生しないという環境にやさしい綴じ具を提供することを目的とするものである。
【課題を解決するための手段】
【０００５】
本発明は、上記問題点を解決するためになされたもので、請求項１の発明は、変性ポリビニルアルコール樹脂を用い、ほぼ長方形板状の基板の両端近傍から上方に突出する内面側にギザギザの突起を付した綴込帯体と、該綴込帯体を伸直状態で挿入し得る挿入口と、該挿入口より端部側に曲げられた該綴込帯体を挿入把持するための内面に綴込帯体のギザギザの突起と噛み合うギザギザの溝を有する横向きＬ字状の爪部とからなる綴込帯体の挿入把持部とを備えたほぼ長方形板状の押さえ板と、からなることを特徴とする書類綴じ具であり、請求項２の発明は、綴込帯体のギザギザの突起は進行方向前面が緩やかな傾斜面で、該突起の背面と帯体のベース表面との間のなす角度（ただし突起の内角）が７５〜１０５°であることを特徴とする請求項１に記載の書類綴じ具であり、請求項３の発明は、ギザギザを付した綴込帯体のギザギザの突起の高さを０．４ｍｍ〜０．８ｍｍとしたことを特徴とする請求項１もしくは２に記載の書類綴じ具であり、請求項４の発明は、綴込帯体のギザギザの突起と噛み合うＬ字状の爪部の上部内面のギザギザの溝の数が３以上であること特徴とする請求項１，２もしくは３のいずれかにに記載の書類綴じ具であり、請求項５の発明は、ほぼ長方形の押さえ板のＬ字状の爪部の基部に連接してリブを設けたこと特徴とする請求項１，２，３もしくは４のいずれかに記載の書類綴じ具であり、請求項６の発明は、綴込帯体の最先端のギザギザの突起の先に係止用突起を設け、該係止用突起の高さをＬ字状の爪部と押さえ板の間隔よりも大きくしたことを特徴とする請求項１，２，３，４もしくは５のいずれかに記載の書類綴じ具であり、請求項７の発明は、変性ポリビニルアルコール樹脂として低重合度の変性ポリビニルアルコールと中重合度の変性ポリビニルアルコールとを配合した材料を用いたことを特徴とする請求項１，２，３，４，５もしくは６のいずれかに記載の書類綴じ具である。
【発明の効果】
【０００６】
本発明の書類綴じ具は、水に溶解するが射出成形は容易であり、使用時に必要な強度を保持できると共に、紙書類の綴じ込みが容易で、書類の綴じ込みが緩むことがなく、必要に応じて紙書類を廃棄するときには、古紙回収工程で水に溶解するので綴じ具を紙の書類と分離する必要がなく、再生紙の製造が容易であり、また、水中に溶解した綴じ具は微生物による分解が可能であり、万一書類がそのまま燃焼した場合に有害ガスの発生がなく燃焼できるなどの効果を発揮することができる。特に、綴じ具の具体的構造において、綴込帯体を書類押さえ板に挿入保持するに有利な構造を有し、実用効果が大きいものである。
なお、綴じ具に書類の所定の量を綴じて最早書類の追加も脱離も必要がない状態となった後は、綴じ具の綴込帯体を爪部との係合部からはずして、該係合されていた帯体および爪部に水若しくは水溶性接着剤を塗布し、再係合することにより該箇所を固着すれば、綴じ具は完全に緩むことがない。
【０００７】
すなわち、本発明の書類綴じ具は、その材料の特性から湿度により硬さや寸法が変化するが、全季節に亘って綴じ具としての機能が満足されるように構造が工夫されたものであり、綴込帯体の片面にギザギザの突起を付して横向きＬ字状の爪部の内面のギザギザの溝と噛み合わせるようになっていることと、これらギザギザの突起は、進行方向前面が緩やかな傾斜面で、該突起の背面のなす角度（ただし突起の内角）が、７５〜１０５°であり、突起の高さを０．４ｍｍ〜０．８ｍｍとしてあるので、書類を綴じて綴込帯体を進行させることは容易で、逆にバックすることは綴込帯体の片面にギザギザの突起が横向きＬ字状の爪部の内面のギザギザの溝と噛み合っているので、その抵抗により困難に形成されている。
綴込帯体のギザギザの突起の背面のなす角度が７５°未満の場合は、該突起とＬ字状の爪部の上部内面のギザギザの溝の噛み合いが甘くなって、綴込帯体が後方向に引張られた時にずれ移動が起こって緩み易くなり、１０５°を超えた場合には突起の頂角が鋭くなり過ぎて綴込帯体が後方向に引張られたときに突起が破損し易くなる。
綴込帯体のギザギザの突起の高さが０．４ｍｍ未満の場合は、該突起と爪部の上部内面のギザギザのとの噛み合いが浅くなり、綴込帯体が後方向に引張られた時にずれて後退し緩み易くなり、０．８ｍｍを超える場合は、突起が高過ぎて綴込帯体が進行方向に引張られた時に前方に進み難くなる。
【０００８】
横向きＬ字状の爪部の内面のギザギザの溝の数が３より少ないと、綴込帯体のギザギザと爪部のギザギザの噛み合い部分が少な過ぎて、綴込帯体を固定する力が弱く、綴込帯体が後方向に引張られた時にずれて後退するおそれがある。
なお、Ｌ字状の爪部の内面のギザギザの溝の形状寸法は、綴込帯体のギザギザの突起の形状寸法と対象的になることは当然である。
更に、綴込帯体の最先端のギザギザの突起の先に別の係止突起を設け、該別の係止突起の高さをＬ字状の爪部と押さえ板の間隔よりも大きくしたことは、従来の綴じ具では全くなかった特徴であり、その機能は次の通りである。
綴じられた書類が万一無理な力で開かれて、綴じ具の綴込帯体を後退させる力が過大に働いた時、綴じ具の綴込帯体のギザギザの突起と、横向きＬ字状の爪部の内面のギザギザの溝との噛み合いが外れながらずれてゆき、帯体が後方にバックする。
しかし、係止突起が存在し、その高さがＬ字状の爪部と押さえ板の間隔よりも大きくなっているので、帯体のギザギザが後方にバックしても、係止突起が横向きＬ字状の爪部の前面に引っかかり、それ以上は綴込帯体がバックせず該爪体から帯体がはずれないので書類の脱離を生じることがない。
【０００９】
更に綴込帯体の最先端は、偏平で上面から見て三角（鋭角）にされているので、書類を綴込帯体に設けた孔を利用して挿入して綴じ込みやすく、結局紙書類を容易に綴じやすいという効果がある。
【００１０】
また、書類押さえ板には横向きＬ字状の爪部に連接してその基部の側面になる位置にリブが設けられている（通常このリブは紙抑え具の中央方向に伸びている。）。綴込帯体を押さえ板に挿入し横向きＬ字状の爪部にて固定して書類を押さえる際に押さえ板に多少変形力がかかるが、該リブに押さえ板の強度が補強され変形を防止し、また、帯体の挿入脱離に基づく爪部の入り口の開口の拡大クリープを抑制し、書類を確実に綴じ得る効果がある。
また、リブは両端の２個の横向きＬ字状の爪部を開口が反対になるように設け、これに伴いリブも反対側面に設けることにより、押さえ具の強度バランスがとれるので好ましい。
【００１１】
また、材料は一種類の変性ポリビニルアルコール樹脂からなるものでも水溶性であり、かつ射出成形が可能であるが、綴じ具の機械的強度及び水溶性の速さを考慮すると、変性ポリビニルアルコール樹脂として低重合度の変性ポリビニルアルコールと中重合度の変性ポリビニルアルコールとを配合したものが好ましい。すなわち、低重合度の変性ポリビニルアルコールは水には溶けやすいが、強度が比較的弱くこれのみで作られた綴じ具は壊れやすいという弱点があり、中重合度の変性ポリビニルアルコールは水に溶けるには時間がかかるという問題があるが、強度は高いというメリットがあり、両者を適量配合すれば、水に溶けやすく強度も優れた物が得られやすい。両者を混合する場合、低重合度のものに対して中重合度のものを１０〜４０重量％配合するのが好ましい。
【発明を実施するための最良の形態】
【００１２】
本発明を図面を参照しつつ説明する。
図１は、本発明の書類綴じ具の１実施例の分解斜視図であって、図２は書類綴じ具の組み合わせ状態の説明の斜視図、図３は帯体の先端と、横向きＬ字状の爪部の係合状態を示す拡大断面図、図４は帯体のギザギザの突起の寸法及び形状の説明側面図、図５は（イ）綴込帯体の先端部の平面図、（ロ）綴込帯体の先端部の側面図である。
【００１３】
図１、図２において、変性ポリビニルアルコール樹脂を用い、ほぼ長方形の基板１１の両端から上方に突出する内面に多数のギザギザの突起１３を付し、その先に設けられた係止突起１４は、他のギザギザの突起１３より大きいものとした綴込帯体１２が構成されているので該帯体は書類押さえ板２１の横向きＬ字状の爪部２３の前面に確実な係合を果たし、万一該爪部２３の内面のギザギザの溝２４と綴込帯体１２のギザギザの突起１３の係合が後方向にずれてきても帯体と書類押さえ板２１が離れないという効果がある。
なお、係止突起１４の先端には偏平な三角形状の挿入用先端部１５が設けられ書類の挿入等を容易にしている。
【００１４】
一方ほぼ長方形の書類押さえ板２１は、該綴込帯体１２を伸直状態で挿入し得る挿入口２２を有し、該綴込帯体１２は挿入されて書類の厚さに応じて外方向（書類押さえ板２１の端部方向）に先端をほぼ直角方向に曲げられたときに、該綴込帯体１２を嵌入把持する横向きＬ字状の爪部２３に挿入される。図２では、横向きＬ字状の爪部２３は下面方向の端縁に押さえ爪２３ａを有しており、図３に示すように爪部の上部内面には綴込帯体１２の進行方向に直角な方向にギザギザの溝２４を備え、綴込帯体１２のギザギザの突起１３と係合し得るようになっており、両者の係合により綴込帯体とＬ字状の爪部がしっかりと保持されるようになっている。該綴込帯状体１２の最先端の係止突起１４は、高さをＬ字状の爪部と押さえ板の間隔よりも大きくしてあるので、帯体に過度の後方向引っ張り力が働いても一旦横向きＬ字状の爪部２３の前面と係合すると、帯体が書類から抜けるようなことはなく、書類の完全な綴じ込みの保全ができる。
【００１５】
なお、帯状体のギザギザの突起の寸法及び形状は、図４に示すとおりであり、綴込帯体のギザギザの突起は進行方向前面が緩やかな傾斜面で、該突起の背面のなす角度（ただし突起の内角）θが、ベース基材に対して７５〜１０５°である。また、ギザギザの突起をを付した綴込帯体のギザギザの突起の高さｈを０．４ｍｍ〜０．８ｍｍとしてある。
また、図１、図２に示すとおり、押さえ板２１には横向きＬ字状の爪部２３の基部に連設するリブ２６が内部方向（挿入口２２のある箇所の片側周辺）に設けられ、押さえ板の爪部の近傍を補強している。挿入する綴込帯体１２を前記挿入口２２を経て横向きＬ字状の爪部２３に挿入して進行方向へ引っ張るときに、押さえ板の変形が抑制され、帯体を爪部に挿入して書類を綴じ込む作業を容易にする効果がある。
特に、一対のリブ２６は相互に反対側に設けることが強度のバランスが取れ、書類を綴じたときに綴じ具が偏った変形をしないので有利である。
なお、横向きＬ字状の爪部２３の下部の開口部２５は、射出成形の便宜上設けることが多いが、設けなくてもよいことは勿論である。
爪部に隣接してリブを設けることは、これにより書類の入れ出しを繰り返す中に起きる開口の拡大クリープを抑制する効果も期待出来る。
【００１６】
図５はこの綴込帯体１２の（イ）先端部分の側面図、（ロ）先端部分の正面図である。図５においてギザギザの突起１３は前面側を緩やかな傾斜面とし、背面は綴込帯体１２のベースに対して７５〜１０５°の角度（突起の内角）であり、突起の高さを０．４ｍｍ〜０．８ｍｍとしてあるので、書類を綴じて綴込帯体を進行させることは容易で、逆にバックすることは綴込帯体の片面にギザギザの突起が横向きＬ字状の爪部の内面のギザギザの溝と噛み合っているので、その抵抗により困難に形成されている。
なお、綴込帯体１２の係止突起１４は、横向きＬ字状の爪部２３の前面に係合し、綴じた書類が外れることなく保持されることを保証している。更にギザギザの突起１３を有する帯体の挿入用先端部１５は頂角を鋭角とした平面二等辺三角形としており、これにより書類の綴じ孔内に帯体を挿入しやすいので、書類の綴じ込み及び綴込帯体の書類抑え具への挿入固定が極めて迅速容易に実施できるものである。
【００１７】
本発明の書類綴じ具は、このような構成であるから、書類の廃棄に際しては、綴じ具を書類からはずす手間を必要とせず、単に書類とともに古紙回収工程に導入すれば、綴じ具は水に溶け、紙繊維は再生パルプとされて、古紙を再生することができる。また、溶けた綴じ具は水中で生分解し、環境負荷が少ない。勿論、燃焼した場合にも有害ガスを発生しない。
【産業上の利用可能性】
【００１８】
本発明の綴じ具は、水溶性であるために、金属や水に不溶性の樹脂を用いた綴じ具と異なり使用後の書類の処分が容易であり、簡単に綴じられるので、各方面の事務処理に適用できる。
なお、綴じ具に書類の所定の量を綴じて最早書類の追加も脱離も必要がない状態となった後は、綴じ具の綴込帯体を爪部との係合部からはずして、該係合されていた帯体および爪部に水若しくは水溶性接着剤を塗布し、再係合することにより該箇所を固着すれば、綴じ具は完全に緩むことがない。
【図面の簡単な説明】
【００１９】
【図１】本発明の書類綴じ具の一実施例の分解斜視図である。
【図２】本発明の書類綴じ具の組み合わせ状態の説明の斜視図。
【図３】綴込帯体の先端と、横向きＬ字状の爪部との係合状態を示す拡大断面図。
【図４】ギザギザの突起の寸法形状を示す説明図。
【図５】（イ）綴込帯体の先端部の平面図、（ロ）綴込帯体の先端部の側面図。
【符号の説明】
【００２０】
１１    基板
１２    綴込帯体
１３    ギザギザの突起
１４    係止突起
１５    挿入用先端部
２１    書類押さえ板
２２    挿入口
２３    横向きＬ字状の爪部
２３ａ    押さえ爪
２４    ギザギザの溝
２５    開口部
２６    リブ
ｈ    ギザギザの突起の高さ
θ    ギザギザの突起の背面と帯体のベースとのなす角（ただし突起の内角）
【図１】
2006095691.tif 000003
【図２】
2006095691.tif 000004
【図３】
2006095691.tif 000005
【図４】
2006095691.tif 000006
【図５】
2006095691.tif 000007